(57)【要約】【課題】施工の手間を複雑化することなく、床板の大型化に対応できる耐力を有したハーフプレキャストコンクリート部材を提供する。【解決手段】このハーフプレキャストコンクリート部材は、主筋が埋設されたコンクリート板と、一部が前記コンクリート板に埋設され、残部が前記コンクリート板の上面から露出している複数のトラス筋と、前記コンクリート板の下面に結合されている繊維補強コンクリート板とを含む。【選択図】図１
2009215774.tif 000002
【特許請求の範囲】
【請求項１】
主筋が埋設されたコンクリート板と、
一部が前記コンクリート板に埋設され、残部が前記コンクリート板の上面から露出している複数のトラス筋と、
前記コンクリート板の下面に結合されている繊維補強コンクリート板とを含む、ハーフプレキャストコンクリート部材。
【請求項２】
前記繊維補強コンクリート板は、前記コンクリート板と接する面にずれ止めを備えている、請求項１に記載のハーフプレキャストコンクリート部材。
【請求項３】
前記繊維補強コンクリート板は、前記コンクリート板の下面に締結具により結合されている、請求項１または２に記載のハーフプレキャストコンクリート部材。
【発明の詳細な説明】
【技術分野】
【０００１】
本発明は、床版に使用されるハーフプレキャストコンクリート部材に関し、特に、コンクリート板の内部に鋼板を埋設したハーフプレキャストコンクリート部材に関する。
【背景技術】
【０００２】
従来周知のハーフプレキャストコンクリート部材として、特許文献１に示されるように、２本の下弦筋と１本の上弦筋との間に跨って両側に逆Ｖ字形状のラチス筋を複数本溶接固着し、長手方向の断面形状をほぼ三角形としたものがある。
【発明の開示】
【発明が解決しようとする課題】
【０００３】
しかしながら、かかるハーフプレキャストコンクリート部材においては、床版の大型化に対応できないという問題がある。すなわち、床版を大型化する場合は、ハーフプレキャストコンクリート部材の全長も長くする必要があるが、ハーフプレキャストコンクリート部材に大きな引張力が作用するため、従来の２本の下弦筋では対応できないという問題がある。
【０００４】
この問題を解決するため手段として、ハーフプレキャストコンクリート部材の中に２本の下弦筋に加え、さらに鉄筋を埋め込んで補強することが考えられるが、鉄筋の配設作業が複雑となり、施工の手間がかかるという問題がある。
【特許文献１】特開昭６０−１００４９号公報
【０００５】
そこで本発明は、施工の手間を複雑化することなく、床板の大型化に対応できる耐力を有したハーフプレキャストコンクリート部材を提供することを課題とする。
【課題を解決するための手段】
【０００６】
本発明に係るハーフプレキャストコンクリート部材は、主筋が埋設されたコンクリート板と、一部が前記コンクリート板に埋設され、残部が前記コンクリート板の上面から露出している複数のトラス筋と、前記コンクリート板の下面に結合されている繊維補強コンクリート板とを含む。
【０００７】
前記繊維補強コンクリート板は、前記コンクリート板と接する面にずれ止めを備えることができる。
【０００８】
また、前記繊維補強コンクリート板は、前記コンクリート板の下面に締結具により結合されているとすることもできる。
【発明の効果】
【０００９】
本願に係るハーフプレキャストコンクリート部材によれば、コンクリート板の下面に結合されている繊維補強コンクリート板を含んでいるため、長手方向に作用する曲げモーメントに対する耐力性が向上し、床版の大型化に対応できるハーフプレキャストコンクリート部材を実現できる。
【００１０】
また、繊維補強コンクリート板をコンクリート板の下面に結合させた構造を採用したので、複雑な鉄筋の配置作業を要することもなく、簡易な施工を実現できる。
【発明を実施するための最良の形態】
【００１１】
以下、本願に係る発明の実施例を図１〜３を参照して詳細に説明する。図中、同一の構成部品には同一の符号を付してある。
【００１２】
本実施例における、ハーフプレキャストコンクリート部材１０は、主にコンクリート板１２と、該コンクリート板１２に埋設されている主筋１４と、トラス筋１６と、繊維補強コンクリート板１８とを含む。
【００１３】
トラス筋１６は、逆Ｖ字状の棒鋼からなり、１本の上弦筋２０の上方から跨らせて配置されている。また、上弦筋の下方には２本の主筋１４が、上弦筋２０と平行に位置し、それぞれの鉄筋が三角形の頂点をなすように配置されている。トラス筋１６は、上弦筋２０と主筋１４とを連結するよう溶接により固着されている。
【００１４】
コンクリート板１０の内部には、主筋１４の他にメッシュ筋２２が埋設されている。このメッシュ筋２２は補強を目的として埋め込まれており、必要とされる強度に応じ、適宜省くことも可能である。
【００１５】
コンクリート板１０の下面に設けられている繊維補強コンクリート板１８は、繊維補強コンクリートからなる板材である。繊維補強コンクリートの補強繊維には、鋼繊維、ガラス繊維、炭素繊維、ビニロン繊維などを用いることができ、薄肉で高い曲げ強度、高耐久性を備えている。
【００１６】
図２に示されるように、繊維補強コンクリート板１８は四隅に取付穴２４が設けられている。締結具２６は、前記取付穴を通され、繊維補強コンクリート板１８とコンクリート板１０とを跨ぐ位置に配置されることにより、両者の結合を強固なものとしている。締結具２６には、取付穴２４とほぼ同径のピンやアンカーボルトを使用することができる。
【００１７】
また、図示していないが、繊維補強コンクリート板１８は、コンクリート板１２と接する面に、両者の一体的な結合を高めるずれ止めを備えている。ズレ止めには、コンクリート板１２と繊維補強コンクリート板１８との結合を高める周知の手段が含まれる。例えば、繊維補強コンクリート板１８の表面に凹凸の模様を形成したり、表面を粗く形成する等の手段がある。
【００１８】
以上の構成のハーフプレキャストコンクリート部材を製造するには、まず、締結具２６を取付穴２４に挿通させ、表面から締結具を突出させた状態の繊維補強コンクリート板１８を型枠内に設置する。次に、メッシュ筋１２、主筋１４およびトラス筋１６を所定の位置に組み付け、それぞれの鉄筋の接合部を溶接する。最後に、メッシュ筋および主筋の全部、トラス筋の一部を覆う深さまでコンクリートを打設して、コンクリート板を形成する。コンクリート養生後、脱型してハーフプレキャストコンクリート部材の製造が完了する。
【００１９】
製造されたハーフプレキャストコンクリート部材は、建設施工現場へ搬送されて梁上に並設される。図３に示されるように、発泡スチロールなどの軽量材からなるボイド部材２８を、コンクリート板１２の上面に適宜敷設し、さらに、上部から現場打ちコンクリートを打設して床版が構築される。
【００２０】
本実施例におけるハーフプレキャストコンクリート部材によれば、繊維補強コンクリート板をコンクリート板の下面に結合させたので、複雑な鉄筋の配置作業を伴うことなく、床版の大型化に対応できる、高強度および高耐力性のハーフプレキャストコンクリート部材を実現できる。
【００２１】
なお、繊維補強コンクリート板１８のコンクリート板１２への結合は、本実施例では、繊維補強コンクリート板の上部へコンクリート板１２を形成するコンクリートを流し込んで一体形成することによりなされているが、変形例も考えられる。
【００２２】
例えば、ハーフプレキャストコンクリート部材の繊維補強コンクリート板以外の部分を予め作成しておき、後から繊維補強コンクリート板を下面に付着させることにより結合を行ってもよい。具体的な結合方法としては、繊維補強コンクリート板に接着剤を塗布したり、接着剤のみでは付着が困難であればアンカーボルトを併せて打設する方法がある。
【００２３】
以上、本願に係るハーフプレキャストコンクリート部材について、その実施例に基づき説明してきたが、本発明は上記実施例に記載した構成に限定されるものでなく、その趣旨を逸脱しない範囲内において適宜その構成を変更することができるものである。
【図面の簡単な説明】
【００２４】
【図１】本願に係るハーフプレキャストコンクリート部材を示す断面図。
【図２】図１に示したハーフプレキャストコンクリート部材の繊維補強コンクリート板を示す斜視図。
【図３】本願に係るハーフプレキャストコンクリート部材が適用された床版の断面図。
【符号の説明】
【００２５】
１０          ハーフプレキャストコンクリート部材
１２          コンクリート板
１４          主筋
１６          トラス筋
１８          繊維補強コンクリート板
２６          締結具
【図１】
2009215774.tif 000003
【図２】
2009215774.tif 000004
【図３】
2009215774.tif 000005